(57)【要約】【課題】バッテリの小型化及び長寿命化したハイブリッド牽引車を提供すること。【解決手段】走行モータ７、マイクロガスタービン発電装置２及びバッテリ４を備え、マイクロガスタービン発電装置２を制御するコントローラ１によりマイクロガスタービン発電装置２の電力とバッテリ４からの電力を走行モータ７に供給するようにしたものであって、マイクロガスタービン発電装置２とバッテリ４に加え蓄電装置としてキャパシタ５を備え、大電流を放電又は回収する場合には、コントローラ１がキャパシタ４によってマイクロガスタービン発電装置２の不足電力をアシストして走行モータ７に電力を供給し、また制動時に走行モータ７が発電機となって発生する回生電力を回収するようにした鉄道用牽引車。【選択図】図１
2007203986.tif 000002
【特許請求の範囲】
【請求項１】
走行用車輪を回転させる走行モータと、マイクロガスタービンで発電機を駆動して発電するマイクロガスタービン発電装置と、そのマイクロガスタービン発電装置から出力される電力と制動時に前記走行モータが発電機となって発生する回生電力とを充電するバッテリとを備え、マイクロガスタービン発電装置を制御するコントローラによりマイクロガスタービン発電装置の電力とバッテリからの電力を走行モータに供給するようにした鉄道用牽引車において、
前記マイクロガスタービン発電装置と前記バッテリに加え蓄電装置としてキャパシタを備え、大電流を放電又は回収する場合には、前記コントローラがキャパシタによって前記マイクロガスタービン発電装置の不足電力をアシストして走行モータに電力を供給し、また制動時に走行モータが発電機となって発生する回生電力をキャパシタによって回収するようにしたものであることを特徴とする鉄道用牽引車。
【請求項２】
請求項１に記載する鉄道用牽引車において、
前記マイクロガスタービン発電装置は交流の発電機を備え、その発電機によって発電した交流電力を直流電力に変換するコンバータと、そのコンバータからの直流電力とバッテリ或いはキャパシタからの直流電力を交流電力に変換して前記走行モータに供給するインバータとを備え、前記コントローラからの指令信号によってマイクロガスタービン発電装置、バッテリ或いはキャパシタからの電力を制御するようにしたものであることを特徴とする鉄道用牽引車。
【請求項３】
請求項１又は請求項２に記載する鉄道用牽引車において、
前記コントローラは、走行を操作するアクセルの信号を受けて走行状態を判断し、そのコントローラからの制御指令信号によって、加速時には前記キャパシタが前記マイクロガスタービン発電装置をアシストして走行モータに電力を供給し、制動時には前記キャパシタがその制動時に発生する回生電力を回収するようにしたものであることを特徴とする鉄道用牽引車。
【発明の詳細な説明】
【技術分野】
【０００１】
本発明は、マイクロガスタービン発電装置とバッテリを搭載し、マイクロガスタービン発電装置からの電力の他にバッテリ電力を利用して走行する鉄道用牽引車に関し、更にキャパシタを加えて搭載することによりバッテリの小型化及び長寿命化を図った鉄道用牽引車に関する。
【背景技術】
【０００２】
地下鉄用のトンネル工事などでは、機材、資材、掘削土砂等の積載物の搬入及び搬出を行うため、例えば台車を工事用機関車で牽引することが行われてる。この種の工事用機関車としては、隧道工事、地下工事という閉空間での使用を考慮して、電動機駆動の機関車が用いられ、特に駆動用電源としてバッテリを搭載した電気車が一般的である。しかし、このような工事用機関車ではバッテリの充電量による走行距離の制約があり、長距離のトンネル工事などでは充電量の大きなバッテリを搭載しなければならず、また充電が頻繁に必要となって輸送効率が悪いという問題があった。この点、特開２００２−２６２４０７号公報では、マイクロガスタービン発電装置とバッテリを搭載した工事用電気車が提案されている。
【０００３】
図４は、前記公報のマイクロガスタービン発電装置とバッテリとを搭載した工事用電気車における出力の供給系統を示したブロック図である。そのハイブリッド機関車は、マイクロガスタービン発電装置１０１に制御系として電源制御装置１０２が接続され、マイクロガスタービン発電装置１０１から出力される交流電力が電源制御装置１０２において直流に変換され、機関車（モータ）１０５およびバッテリ１０３に給電されるようになっている。そして、バッテリ１０３では、機関車１０５に電力の供給が行われると共に、充電可能な場合、機関車１０５の制動時に生じる回生電力の回収が行われる。
【０００４】
マイクロガスタービン発電装置１０１は、マイクロガスタービンと、それによって駆動する発電機によって構成され、マイクロガスタービンで発電機を駆動して電力を発生させるものである。燃料タンクに格納された燃料がマイクロガスタービンに導かれ、マイクロガスタービンで燃料が燃焼される。これにより回転力が得られ、発電機を駆動させて発電が行われる。そして、マイクロガスタービンで燃焼した排ガスは外部に排出される。
【０００５】
従って、このハイブリッドの工事用電気車では、バッテリ１０３を搭載し、マイクロガスタービン発電装置１０１を主電源として使用し、この例ではバッテリ１０３は浮動充電方式で用いられている。高負荷のときはマイクロガスタービン発電装置１０１の発電電力に加えてバッテリ１０３から電力が供給され、ハイブリッド機関車が平坦走行時のように軽負荷であるときにはマイクロガスタービン発電装置１０１の余剰電力がバッテリ１０３に充電される。こうして走行距離に制約がなくなって輸送効率が向上し、マイクロガスタービンの使用によって排気ガスにおけるＮＯxの濃度も低減できる。
【特許文献１】特開２００２−２６２４０７号公報（第３−４頁、図５）
【発明の開示】
【発明が解決しようとする課題】
【０００６】
ところで、こうしたマイクロガスタービン発電装置とバッテリを搭載したハイブリッド車両では、マイクロガスタービンの負荷変動に対する応答性が劣るため、バッテリがその欠点を補うために放電が行われる。そして、ハイブリッド車両のバッテリは、加速時の急激な放電の他、制動時に発生する回生電力の回収も行われる。
従って、従来のハイブリッド車両では、こうした加速・減速時にバッテリより大電流の充放電が行われ、走行によってそれが繰り返されることによってバッテリの寿命を短くしている。
【０００７】
特に、鉄道車両などを牽引するハイブリッドの鉄道用牽引車は、牽引する車体などの荷重が大きいので、加速・減速時の負荷が大きく、その分だけバッテリの負担が大きくなっている。そのため、加速を行う時には瞬間的に大電流を流す必要があるが、これをバッテリで行うにはバッテリ自身が大型になる。
従って、マイクロガスタービン発電装置とバッテリを搭載した構成からなるハイブリッドの鉄道用牽引車では、大型バッテリを搭載しなければならず、しかも使用方法によっては寿命が短くなるためランニングコストがかかるものになっている。
【０００８】
そこで、本発明は、かかる課題を解決すべく、バッテリの小型化及び長寿命化したハイブリッド牽引車を提供することを目的とする。
【課題を解決するための手段】
【０００９】
本発明に係る鉄道用牽引車は、走行用車輪を回転させる走行モータと、マイクロガスタービンで発電機を駆動して発電するマイクロガスタービン発電装置と、そのマイクロガスタービン発電装置から出力される電力と制動時に前記走行モータが発電機となって発生する回生電力とを充電するバッテリとを備え、マイクロガスタービン発電装置を制御するコントローラによりマイクロガスタービン発電装置の電力とバッテリからの電力を走行モータに供給するようにしたものであって、前記マイクロガスタービン発電装置と前記バッテリに加え蓄電装置としてキャパシタを備え、大電流を放電又は回収する場合には、前記コントローラがキャパシタによって前記マイクロガスタービン発電装置の不足電力をアシストして走行モータに電力を供給し、また制動時に走行モータが発電機となって発生する回生電力をキャパシタによって回収するようにしたものであることを特徴とする。
【００１０】
また、本発明に係る鉄道用牽引車は、前記マイクロガスタービン発電装置は交流の発電機を備え、その発電機によって発電した交流電力を直流電力に変換するコンバータと、そのコンバータからの直流電力とバッテリ或いはキャパシタからの直流電力を交流電力に変換して前記走行モータに供給するインバータとを備え、前記コントローラからの指令信号によってマイクロガスタービン発電装置、バッテリ或いはキャパシタからの電力を制御するようにしたものであることが好ましい。
更に、本発明に係る鉄道用牽引車は、前記コントローラが、走行を操作するアクセルの信号を受けて走行状態を判断し、そのコントローラからの制御指令信号によって、加速時には前記キャパシタが前記マイクロガスタービン発電装置をアシストして走行モータに電力を供給し、制動時には前記キャパシタがその制動時に発生する回生電力を回収するようにしたものであることが好ましい。
【発明の効果】
【００１１】
よって、本発明の鉄道用牽引車によれば、加速時や減速時のように負荷が大きくなる走行において瞬間的に大電流を流す必要がある場合には、バッテリに代わってキャパシタが充放電を行うため、バッテリを大型化する必要がなくなり、加速や減速時に伴って繰り返し行われていたバッテリによる大電流の充放電が行われなくなり、バッテリの寿命を延ばすことができる。
【発明を実施するための最良の形態】
【００１２】
次に、本発明に係る鉄道用牽引車の一実施形態について図面を参照しながら以下に説明する。本実施形態の鉄道用牽引車は、例えば鉄道事業者が行う地下鉄やトンネルの保守作業、或いは住宅地付近での作業において、鉄道車両や台車を牽引するためのものである。特に、この鉄道用牽引車は、軌道上を走行可能な車輪を走行モータによって回転させて走行するものであり、駆動源としてマイクロガスタービン発電装置が設けられている。そして、前記従来例の工事用電気車と同様、マイクロガスタービン発電装置と共にバッテリなどの蓄電装置を搭載したものである。ここで、図１は、本実施形態の鉄道用牽引車におけるシステム構成を示すブロック図である。
【００１３】
マイクロガスタービン発電装置２は、マイクロガスタービンとそれによって駆動する交流の発電機によって構成され、マイクロガスタービンで発電機を駆動して電力を発生させるものである。そして、鉄道用牽引車には燃料タンクが備えられており、マイクロガスタービンに対し格納された燃料が導かれ、そのマイクロガスタービンで燃料が燃焼し、これによって回転力を得て発電機が駆動して発電が行われるようになっている。マイクロガスタービンで燃焼した排ガスは、外部に排出されるようになっている。
【００１４】
鉄道用牽引車は、こうしたマイクロガスタービン発電装置２から得られる発電電力の他、バッテリ４を備えることによって蓄電電力を利用してマイクロガスタービン発電装置２をアシストするよう構成されている。バッテリ４は、例えば鉛蓄電池であり、蓄電できる電気量は大きいものの、瞬間的に大電流を流すことができず、また加速時の急激な放電や制動時に発生する回生電力の回収の繰り返しがバッテリの寿命に大きく影響する。そこで本実施形態では、マイクロガスタービン発電装置２をアシストするため、バッテリ４に加えてキャパシタ５を備える構成がとられている。
【００１５】
マイクロガスタービン発電装置２は、パワーアシストコンバータ３からインバータ６を介して走行モータ７に接続されている。こうしてマイクロガスタービン発電装置２で発生する電気エネルギーが、パワーアシストコンバータ３及びインバータ６を介して走行モータ７へ送られ、そこで機械エネルギーに変換され、この鉄道用牽引車が走行するように構成されている。マイクロガスタービン発電装置２に接続されたパワーアシストコンバータ３は、交流電力を直流電力に変換し、そのパワーアシストコンバータ３に接続されたインバータ６が直流電力を交流電力に変換して電力を走行モータ７へ供給するようになっている。
【００１６】
そして、このパワーアシストコンバータ３には、マイクロガスタービン発電装置２をアシストするバッテリ４やキャパシタ５が接続されている。パワーアシストコンバータ３は、交流電力を直流電力に変換する変換回路の他、コントローラ１からの指令信号によってマイクロガスタービン発電装置２、バッテリ４或いはキャパシタ５からの電力を制御して走行モータ７へ供給したり、制動時に走行モータ７が発電機となって発生する回生電力をバッテリ４やキャパシタ５へ充電させる制御のための制御回路が構成されている。そして、このコントローラ１は、アクセル８の操作量に応答してパワーアシストコンバータ３に制御指令信号が送信される。更にコントローラ１は、マイクロガスタービン発電装置２やインバータ６にも接続され、当該発電装置２の駆動制御やインバータ６へアクセル８の操作量に応じたトルク指令信号が出力されるようになっている。
【００１７】
次に、図１に示すシステム構成を有する鉄道用牽引車による走行動作について、特に電力フローを示しながら以下に説明する。ここで、図２及び図３は、電力フローを示した図であり、図２はキャパシタを持たない従来構成の鉄道用牽引車の場合を示し、図３はキャパシタを備える本実施形態の鉄道用牽引車の場合を示している。また、図２及び図３の各グラフは、それぞれ横軸にとった時間（ｔ）に対し、（ａ）は鉄道用牽引車の走行速度（ｖ）の変化を、（ｂ），（ｃ）はモータ負荷電流（Ｉ）とマイクロガスタービン発電装置の出力電流（Ｉ）の変化を示している。そして、図２では（ｄ）にバッテリの放電電流（Ｉ）の変化を示し、図３の（ｄ）はキャパシタの放電電流（Ｉ）を、（ｅ）はバッテリの放電電流（Ｉ）の変化を示している。
【００１８】
鉄道用牽引車の走行を、図２及び図３の（ａ）に示すように所定の速度になるｔ１時まで加速し、その後一定の速度で所定距離を走行し、ｔ２時からｔ３時にかけて減速して停止する場合を考える。
鉄道用牽引車のアクセル８が操作されると、その操作量に応じたトルク指令信号がコントローラ１からインバータ６へと出力される。加速時にはアクセル８の操作量が大きく、それに対応してトルク指令信号がコントローラ１からインバータ６へと送られ、インバータ６ではそのトルク指令信号に従って走行モータ７へ電力が供給される。また、コントローラ１はインバータ６との間で走行速度のモニタリングが行われ、それに基づいてコントローラ１からインバータ６へと速度指令信号が送られている。
【００１９】
そこで、図２，３（ａ）に示す走行を行う場合に走行モータ７で消費される電力を電流で見てみると、図２，３の（ｂ）に示すように、ｔ１時までの加速状態では走行モータ７に掛かる負荷が大きくなるため、それに比例して大電流が急激に流される。そして、加速後のｔ１時からｔ２時までの定速走行状態では走行モータ７の負荷が減って一定量の電流が流されることになる。一方、制動時には、減速を開始したｔ２時から停止するｔ３時まで、走行モータ７が発電機となって発生する回生電力がバッテリ４やキャパシタ５に回収されるため、インバータ６を電流が逆向きに流れる。
【００２０】
こうして加速、定速、減速の各走行状態による走行モータ７の負荷に応じて電流が流れるが、その走行モータ７を駆動させるため、マイクロガスタービン発電装置２から発生する電力の他、バッテリ４やキャパシタ５に充電された電力がインバータ６を介して走行モータ７へと供給される。その際、マイクロガスタービンは負荷応答性が劣るため、アクセル８の操作に即座に追随して電力を供給することが困難であるため、従来の構成ではバッテリが加速時の電力を補い、本実施形態ではキャパシタ５が補うようにしている。
【００２１】
マイクロガスタービン発電装置２では、アクセル８の操作によってコントローラ１から出力される信号によりマイクロガスタービンの出力を増加させる。図２及び図３（ｃ）に示すように、マイクロガスタービンの負荷応答にあわせて、当該発電装置２（マイクロガスタービン）から出力される電流はｔ５時に出力電流が流れ始めて徐々に大きくしていく。
【００２２】
従って、走行モータ７を駆動させるため、マイクロガスタービンから出力される電流の不足部分を、従来ではバッテリからの放電電力で補っている。そうした従来例の鉄道用牽引車（適宜、図４参照）は、図２（ｄ）に示すようにバッテリからの急激な放電によってｔ１時までの加速に対応し、その後、定速走行に移った時にはマイクロガスタービン発電装置１０１からの発電電流によって走行が可能になる。その際、マイクロガスタービン発電装置１０１からの出力電力は、一部が走行モータ１０５を走行させるために使用され、余剰電力はバッテリ１０３に充電される。バッテリ充電は、図２（ｄ）に示す定速走行中のｔ６時から始まっている。そして、減速時には回生電流がバッテリ１０３に流れ込んで、マイクロガスタービン発電装置１０１からの出力電力と走行モータ１０５を発電機として発生した回生電力とが充電される。
【００２３】
減速時もマイクロガスタービン発電装置１０１の負荷応答性が劣るため、アクセルの操作を戻したｔ２時から出力電力を減少させ、ｔ７時までかけて徐々に減少させている。そのため、バッテリ１０３でもｔ７時までに得られるマイクロガスタービン発電装置１０１からの電力が充電される。
従って、マイクロガスタービン発電装置１０１とバッテリ１０３とから構成された従来の鉄道用牽引車は、加速時の急激な放電と制動時の回生電力の回収がバッテリ１０３の充放電によって行われている。しかしこれでは、課題でも述べたようにバッテリ１０３を大型化する必要があり、負荷の大きい充放電が繰り返えされてバッテリ１０３の寿命を短くする原因となっている。
【００２４】
その一方、本実施形態の鉄道用牽引車はキャパシタ５が設けられ、加速時にはコントローラ１からの信号によって、キャパシタ５がインバータ６を介して走行モータ７に電力供給する様に制御される。そのため、図３（ｄ）に示すようにアクセル８の操作に応じてキャパシタ５から走行モータ７へ大電流が流される。このときバッテリ４は、キャパシタ５の放電時（ｔ１時）まではキャパシタ５が放電することにより電流は流れていない。そして、鉄道用牽引車の走行状態が定速走行に移ったｔ１時にコントローラ１によってキャパシタ５からバッテリ４へ、インバータ６を介してた走行モータ７への電力供給が移行される。
【００２５】
従って、鉄道用牽引車はｔ１時からｔ２時の定速走行時にはマイクロガスタービン発電装置２からの発電電力によって走行する。そのため、マイクロガスタービン発電装置２からの出力電力をアシストするようにバッテリ４から電力がインバータ６を介して走行モータ７に供給される。その後、マイクロガスタービン発電装置２から出力される電力量が増加していくと、一部が駆動モータ７を走行させるために使用され、余剰電力はバッテリ４に充電される。バッテリ充電は、図３（ｅ）に示す定速走行中のｔ８時から始まっている。
【００２６】
そして、減速時にはバッテリ４とキャパシタ５により、発電機となった走行モータ７からの回生電力が回収される。更に、負荷応答性が劣るマイクロガスタービン発電装置２では、アクセル８の操作を戻してもマイクロガスタービンの負荷を急に減少させることはできないので発電機から電力が供給されている状態にする必要がある。そうした走行モータ７からの回生電力とマイクロガスタービン発電装置２からの電力とは、急激に流れ込む回生電力部分を主にキャパシタ５によって回収し、発電装置２からの電力がバッテリ４によって回収する様に制御される。
【００２７】
従って、本実施形態の鉄道用牽引車と従来のハイブリッド車両とのバッテリ使用状況を比較する。すなわち、図２（ｄ）と図３（ｅ）のバッテリ放電電流を比較すると、ｔ１時までの加速時、従来のものではバッテリから大電流の放電電流が流れているのに対し、本実施形態のものでは、キャパシタ５から大電流を放電し、バッテリ４の負担はゼロとなる。その後、ｔ１時からｔ２時までの定速走行時では同じように、マイクロガスタービン発電装置２からの余剰電力を充電する。そして、特に従来のものでは減速時の回生電力に加えて供給されるマイクロガスタービン発電装置２からの電力をバッテリが全て回収しなければならないが本実施形態では、減速時の回生電力をキャパシタ５に回収させるのでバッテリ４の負担分が少なくなる。
【００２８】
よって、本実施形態の鉄道用牽引車では、バッテリ４とキャパシタ５を併用する構成をとって、加速時や減速時の電流値の大きい充放電をキャパシタ５が負担するようにしたので、バッテリ４を大型化させることなく、しかも加減速時の急激な充放電をバッテリ４が行う必要がなくなることでバッテリ４の寿命を延ばすことができる。
【００２９】
以上、本発明に係る鉄道用牽引車の一実施形態について説明したが、本発明はこれに限定されることなく、その趣旨を逸脱しない範囲で様々な変更が可能である。
【図面の簡単な説明】
【００３０】
【図１】一実施形態の鉄道用牽引車におけるシステム構成を示すブロック図である。
【図２】従来構成の鉄道用牽引車における電力フローを示した図である。
【図３】実施形態の鉄道用牽引車における電力フローを示した図である。
【図４】マイクロガスタービン発電装置とバッテリとを搭載した従来の工事用電気車における出力の供給系統を示したブロック図である。
【符号の説明】
【００３１】
１    コントローラ
２    マイクロガスタービン発電装置
３    コンバータ
４    バッテリ
５    キャパシタ
６    インバータ
７    走行モータ
８    アクセル
【図１】
2007203986.tif 000003
【図２】
2007203986.tif 000004
【図３】
2007203986.tif 000005
【図４】
2007203986.tif 000006